(57)【要約】【課題】ハーネスの収納や交換作業の効率化、及び作業性を向上しても必要な作業スペースが狭くなる。そして、ハーネスの挟み込による損傷または切断を防止してハーネスを確実に収納してクランプする。更に、ハーネスに接続される各ユニットの処理品質も低下することなく、小型で高品質の画像形成を行うことができる低コストのハーネス用クランプユニット、及びそのハーネス用クランプユニットを備える電子機器を提供することを目的とする。【解決手段】１本または複数本のハーネスを束ねて支持する収納枠本体と、前記収納枠本体の内側に形成して前記ハーネスを収納する収納部と、前記収納枠本体の一部を開放して前記ハーネスを出し入れする開放部と、前記収納枠本体に支点を有し回動することで前記開放部を非開放部とするストッパー部材からなるハーネス用クランプユニットにおいて、前記ストッパー部材の回動方向を収納部に収納されるハーネスの上面を横断する方向にて回動可能とした。【選択図】図５
2009168049.tif 000002
【特許請求の範囲】
【請求項１】
１本または複数本のハーネスを束ねて支持する収納枠本体と、前記収納枠本体の内側に形成して前記ハーネスを収納する収納部と、前記収納枠本体の一部を開放して前記ハーネスを出し入れする開放部と、前記収納枠本体に支点を有し回動することで前記開放部を非開放部とするストッパー部材からなるハーネス用クランプユニットにおいて、前記ストッパー部材の回動方向が前記収納部に収納されるハーネスの上面を横断する方向にて回動可能であることを特徴とするハーネス用クランプユニット。
【請求項２】
請求項１に記載のハーネス用クランプユニットおいて、前記収納枠本体は、Ｕ字の形状であることを特徴とするハーネス用クランプユニット。
【請求項３】
請求項１または２に記載のハーネス用クランプユニットにおいて、前記収納枠本体は、前記開放部の一方の端部側に前記ストッパー部材を回動可能に保持するストッパー回動支柱部を備えることを特徴とするハーネス用クランプユニット。
【請求項４】
請求項３に記載のハーネス用クランプユニットにおいて、前記ストッパー回動支柱部は、前記ストッパー部材の脱落を防止するストッパー脱落防止部を備えることを特徴とするハーネス用クランプユニット。
【請求項５】
請求項１乃至４のいずれか一項に記載のハーネス用クランプユニットにおいて、前記収納枠本体は、前記前記ストッパー部材に設けた係止部を受けて固定するストッパー固定部を備えることを特徴とするハーネス用クランプユニット。
【請求項６】
請求項１乃至５のいずれか一項に記載のハーネス用クランプユニットにおいて、前記収納枠本体は、前記ストッパー部材の回動を制限するストッパー回動制限部を備えることを特徴とするハーネス用クランプユニット。
【請求項７】
請求項１乃至６のいずれか一項に記載のハーネス用クランプユニットにおいて、前記収納枠本体は、前記ストッパー部材に設けた前記係止部を前記ストッパー固定部で受けて固定する際に前記開放部からの前記ハーネスのはみ出しを阻止する補助ガイド部を備えることを特徴とするハーネス用クランプユニット。
【請求項８】
請求項７に記載のハーネス用クランプユニットにおいて、前記補助ガイド部は、前記開放部の他方の端部側の前記収納枠本体から延出して前記収納部の内側方向に傾けて設置されていることを特徴とするハーネス用クランプユニット。
【請求項９】
請求項１乃至８のいずれか一項に記載のハーネス用クランプユニットにおいて、前記収納枠本体は、収納枠本体外側の適所に取り付け部を備えることを特徴とするハーネス用クランプユニット。
【請求項１０】
請求項１乃至９のいずれか一項に記載のハーネス用クランプユニットにおいて、前記ストッパー部材は回動して閉じる際に、前記ハーネスが前記開放部からはみ出すのを阻止するハーネス押さえ部を備えることを特徴とするハーネス用クランプユニット。
【請求項１１】
請求項１０に記載のハーネス用クランプユニットにおいて、前記ハーネス押さえ部は、前記ストッパー部材の回動方向側にある先端側の肉厚が前記ストッパー部材の非回動方向側に比較して薄い形状であることを特徴とするハーネス用クランプユニット。
【請求項１２】
請求項１０または１１に記載のハーネス用クランプユニットにおいて、前記ハーネス押さえ部は、楔形状の先端部から先鋭部を取り除いた平面から成ることを特徴とするハーネス用クランプユニット。
【請求項１３】
請求項１０または１１に記載のハーネス用クランプユニットにおいて、前記ハーネス押さえ部は、楔形状の先端部から先鋭部を取り除いた曲面から成ることを特徴とするハーネス用クランプユニット。
【請求項１４】
請求項１乃至１３のいずれか一項に記載のハーネス用クランプユニットにおいて、少なくとも前記収納枠本体と前記ストッパー部材は、合成樹脂材で形成されていることを特徴とするハーネス用クランプユニット。
【請求項１５】
請求項１乃至１４のいずれか一項に記載のハーネス用クランプユニットにより、構成する各ユニットを接続するハーネスをクランプすることを特徴とする電子機器。
【請求項１６】
請求項１５に記載の電子機器において、前記ユニットは、被記録媒体に記録画像を形成する画像形成ユニットであることを特徴とする電子機器。
【請求項１７】
請求項１６に記載の電子機器において、前記画像形成ユニットは、電子写真方式の作像プロセスで記録画像を形成することを特徴とする電子機器。
【発明の詳細な説明】
【技術分野】
【０００１】
本発明は、束線のハーネスをクランプするハーネス用クランプユニット、及びそのハーネス用クランプユニットを備えるユニットをハーネスで接続する電子機器に関する。
【背景技術】
【０００２】
一般にハーネス用クランプユニットは、電子機器である電子写真方式の画像形成装置の各ユニットを接続する束線のハーネスをクランプすることに使用されている。例えば、複数のハーネスの収納作業を容易にするために、ハーネスを収納するための収納枠体と、収納枠体内にハーネスを仮保持する補助ストッパーを形成する。そして、収納枠体内にハーネスを最終保持する係合部を形成するハーネス用クランプユニットが提案されている（特許文献１を参照）。
上述するハーネスをクランプする手段と同様、通常のクランプ手段としては、ハーネスの収容作業や交換作業の効率化および作業性を向上するために、係合部や閉塞体などと言われるストッパー部材の上下する動きによってハーネスを収納する構成が採用されている。
【０００３】
そこで、ストッパー部材の上下の動きによってハーネスを収納する従来のハーネス用クランプユニットを、以下に詳細に説明する。
図１５は、従来のハーネス用クランプユニット３００のストッパー部材３０４が回動して複数本のハーネスＨを正常に収納する正面図である。
図１６は、従来のハーネス用クランプユニット３００のストッパー部材３０４が回動して複数本のハーネスＨの内の１本のハーネスＨを挟み込んで収納する正面図である。
図１５と図１６において、従来のハーネス用クランプユニット３００は、複数本のハーネスＨを束ねて支持するＵ字形状の収納枠本体３０１と、収納枠本体３０１の内側に形成してハーネスＨを収納する収納部３０２を備えている。その収納部３０２を囲む収納枠本体１の図示する上部を開放してハーネスＨを出し入れする開放部３０３が設けられている。そして、ストッパー部材３０４が、開放部３０３の一方の端部側の収納枠本体３０１のヒンジ３０５を回動中心として矢印Ｘ方向の上方から下方に回動して開放部３０３を閉じるようになっている。矢印Ｘ方向の上方から下方に回動するストッパー部材３０４のストッパー爪部３４０が、開放部３０３の他方の端部側の収納枠本体３０１のストッパー爪受け部３０６で受けて固定されようになっている。
【０００４】
このような従来のハーネス用クランプユニット３００において、複数本のハーネスＨを束ねて収納する場合には、ストッパー部材３０４を矢印Ｘ方向と逆方向の上方に持ち上げて開放部３０３を開放する。次いで、複数本のハーネスＨを開放部３０３から収納部３０２に入れて置く。そして、ストッパー部材３０４を矢印Ｘ方向の上方から下方に回動して、ストッパー爪部３４０をストッパー爪受け部３０６で受けて固定して図１５に図示するように正常に収納される。この場合に、ストッパー部材３０４が、矢印Ｘ方向の上方から下方に回動する上下方向のスペースが必要となり、ハーネス用クランプユニット３００を取り付ける電子機器の装置が大型になると言う不具合が発生していた。
更に、ストッパー部材３０４を矢印Ｘ方向の上方から下方に回動する際に、図１６に図示するように複数本のハーネスＨの内の１本のハーネスＨを挟み込んでストッパー爪部３４０をストッパー爪受け部３０６で受けて固定することがある。このような挟み込によりハーネスＨは損傷または切断されて、接続される各ユニットの処理品質も低下して、形成する画像品質も低下すると言う不具合も発生していた。
【特許文献１】特開２００４−１９４４６４公報
【発明の開示】
【発明が解決しようとする課題】
【０００５】
従来のハーネス用クランプユニット、及びそのハーネス用クランプユニットを備える電子機器は、ハーネスの収納や交換作業の効率化および作業性を向上しても上下方向の広いスペースが必要となり装置が大型になる。そして、収納されるハーネスは上下方向の挟み込により損傷または切断されて、ハーネスに接続される各ユニットの処理品質も低下して、形成する画像品質も低下すると言う問題が発生していた。
そこで本発明の課題は、このような問題点を解決するものである。即ち、ハーネスの収納や交換作業の効率化、及び作業性を向上しても必要な作業スペースが少なく済み、またハーネスの挟み込みによる損傷または切断を防止してハーネスを確実に収納してクランプし、更に、ハーネスに接続される各ユニットの処理品質も低下することなく、小型で高品質の画像形成を行うことができる低コストのハーネス用クランプユニット、及びそのハーネス用クランプユニットを備える電子機器を提供することを目的とする。
【課題を解決するための手段】
【０００６】
上記目的を達成するために、請求項１に記載の本発明は、１本または複数本のハーネスを束ねて支持する収納枠本体と、前記収納枠本体の内側に形成して前記ハーネスを収納する収納部と、前記収納枠本体の一部を開放して前記ハーネスを出し入れする開放部と、前記収納枠本体に支点を有し回動することで前記開放部を非開放部とするストッパー部材からなるハーネス用クランプユニットにおいて、前記ストッパー部材の回動方向が前記収納部に収納されるハーネスの上面を横断する方向にて回動可能なハーネス用クランプユニットであることを特徴とする。
または、請求項２に記載の本発明は、請求項１に記載のハーネス用クランプユニットおいて、前記収納枠本体は、Ｕ字の形状であるハーネス用クランプユニットであることを特徴とする。
または、請求項３に記載の本発明は、請求項１または２に記載のハーネス用クランプユニットにおいて、前記収納枠本体は、前記開放部の一方の端部側に前記ストッパー部材を回動可能に保持するストッパー回動支柱部を備えるハーネス用クランプユニットであることを特徴とする。
【０００７】
または、請求項４に記載の本発明は、請求項３に記載のハーネス用クランプユニットにおいて、前記ストッパー回動支柱部は、前記ストッパー部材の脱落を防止するストッパー脱落防止部を備えるハーネス用クランプユニットであることを特徴とする。
または、請求項５に記載の本発明は、請求項１乃至４のいずれか一項に記載のハーネス用クランプユニットにおいて、前記収納枠本体は、前記前記ストッパー部材に設けた係止部を受けて固定するストッパー固定部を備えるハーネス用クランプユニットであることを特徴とする。
または、請求項６に記載の本発明は、請求項１乃至５のいずれか一項に記載のハーネス用クランプユニットにおいて、前記収納枠本体は、前記ストッパー回動支柱部を回動軸とする前記ストッパー部材の回動を制限するストッパー回動制限部を備えるハーネス用クランプユニットであることを特徴とする。
【０００８】
または、請求項７に記載の本発明は、請求項１乃至６のいずれか一項に記載のハーネス用クランプユニットにおいて、前記収納枠本体は、前記ストッパー部材に設けた前記係止部を前記ストッパー固定部で受けて固定する際に前記開放部からの前記ハーネスのはみ出しを阻止する補助ガイド部を備えるハーネス用クランプユニットであることを特徴とする。
または、請求項８に記載の本発明は、請求項７に記載のハーネス用クランプユニットにおいて、前記補助ガイド部は、前記開放部の他方の端部側の前記収納枠本体から延出して前記収納部の内側方向に傾けて設置されているハーネス用クランプユニットであることを特徴とする。
または、請求項９に記載の本発明は、請求項１乃至８のいずれか一項に記載のハーネス用クランプユニットにおいて、前記収納枠本体は、収納枠本体外側の適所に取り付け部を備えるハーネス用クランプユニットであることを特徴とする。
【０００９】
または、請求項１０に記載の本発明は、請求項１乃至９のいずれか一項に記載のハーネス用クランプユニットにおいて、前記ストッパー部材は回動して閉じる際に、前記ハーネスが前記開放部からはみ出すのを阻止するハーネス押さえ部を備えるハーネス用クランプユニットであることを特徴とする。
または、請求項１１に記載の本発明は、請求項１０に記載のハーネス用クランプユニットにおいて、前記ハーネス押さえ部は、前記ストッパー部材の回動方向側にある先端側の肉厚が前記ストッパー部材の非回動方向側に比較して薄い形状であることを特徴とする。
または、請求項１２に記載の本発明は、請求項１０または１１に記載のハーネス用クランプユニットにおいて、前記ハーネス押さえ部は、楔形状の先端部から先鋭部を取り除いた平面から成るハーネス用クランプユニットであることを特徴とする。
または、請求項１３に記載の本発明は、請求項１０または１１に記載のハーネス用クランプユニットにおいて、前記ハーネス押さえ部は、楔形状の先端部から先鋭部を取り除いた曲面から成るハーネス用クランプユニットであることを特徴とする。
【００１０】
または、請求項１４に記載の本発明は、請求項１乃至１３のいずれか一項に記載のハーネス用クランプユニットにおいて、少なくとも前記収納枠本体と前記ストッパー部材は、合成樹脂材で形成されているハーネス用クランプユニットであることを特徴とする。
または、請求項１５に記載の本発明は、請求項１乃至１４のいずれか一項に記載のハーネス用クランプユニットにより、構成する各ユニットを接続するハーネスをクランプするハーネス用クランプユニットであることを特徴とする。
または、請求項１６に記載の本発明は、請求項１５に記載の電子機器において、前記処理ユニットは、被記録媒体に記録画像を形成する画像形成ユニットである電子機器であることを特徴とする。
または、請求項１７に記載の本発明は、請求項１６に記載の電子機器において、前記画像形成ユニットは、電子写真方式の作像プロセスで記録画像を形成する電子機器であることを特徴とする。
【発明の効果】
【００１１】
本発明によれば、ハーネスの収納や交換作業の効率化、及び作業性を向上しても必要な作業スペースが狭くなる。そして、ハーネスの挟み込による損傷または切断を防止してハーネスを確実に収納してクランプする。更に、ハーネスに接続される各ユニットの処理品質も低下することなく、小型で高品質の画像形成を行うことができる低コストのハーネス用クランプユニット、及びそのハーネス用クランプユニットを備える電子機器を提供することができる。
【発明を実施するための最良の形態】
【００１２】
以下に、本発明の実施形態を、図面を参照して詳細に説明する。
図１は、本発明の実施の形態例にかかるハーネス用クランプユニット１０の正面図である。
図２は、本発明の実施の形態例にかかるハーネス用クランプユニット１０の上面図である。
図３は、本発明の実施の形態例にかかるハーネス用クランプユニット１０が複数本のハーネスＨをクランプする正面図である。
図４は、本発明の実施の形態例にかかるハーネス用クランプユニット１０が複数本のハーネスＨをクランプする上面図である。
図５は、本発明の実施の形態例にかかるハーネス用クランプユニット１０のストッパー部材４が収納部２に収納されるハーネスの上面を横断する方向に回動して開放部３を閉じる前の斜視図である。
図６は、本発明の実施の形態例にかかるハーネス用クランプユニット１０のストッパー部材４が収納部２に収納されるハーネスの上面を横断する方向に回動して閉じて固定する前の斜視図である。
【００１３】
図１乃至図６において、ハーネスＨをクランプするハーネス用クランプユニット１０は、１本または複数本のハーネスＨを束ねて支持する収納枠本体１を備えている。そして、収納枠本体１の内側に形成してハーネスＨを収納する収納部２と、収納部２を囲む収納枠本体１の図示の上部を開放してハーネスＨを出し入れする開放部３を備えている。更に、収納枠本体１の適所を支点とし、矢印Ａ方向、すなわち、収納部２に収納されるハーネスの上面を横断する方向に回動して開放部３を閉じるように回動可能に保持されるストッパー部材４を備えている。このストッパー部材４により収納部２からのハーネスＨのはみ出しを阻止する。
ストッパー部材４の回動方向は、収納部２に収納されるハーネスの上面を横断する方向であり、具体的には収納されたハーネスＨの上面に対して水平方向で回動するか、収納されたハーネスＨの上面に対して上斜め方向で回動しても良い。
ストッパー部材４の回動の支点として機能する箇所は、具体的にはストッパー回動支柱部５である。
そして取り付け部９により、電子機器１００の被取り付け体１０２の取り付け孔１０３に取り付けられるようになっている。
【００１４】
収納枠本体１は、Ｕ字の形状に形成されている。そして、ストッパー部材４が固定される位置と対向する外側に取り付け部９を備えているから、開放部３から収納部２へハーネスＨを出し入れする作業が容易であり、交換作業の効率化、及び作業性にも優れている。
そして、収納枠本体１は、開放部３の一方の端部側のストッパー回動支柱部５を支点回動軸としてストッパー部材４を、収納部２に収納するハーネスＨの上面を横断する空間方向、すなわち矢印Ａ方向に回動可能に保持している。更に、開放部３の他方の端部側に矢印Ａ方向のハーネスＨ横断方向に回動するストッパー部材４の係止部４０のストッパー爪を受けて固定するストッパー固定部６にストッパー爪受け部１１を備えている。
【００１５】
収納枠本体１に備えるストッパー回動制限部７は、ストッパー回動支柱部５を支点回動軸とするストッパー部材４の矢印Ａ方向と逆方向の略９０度以上の回動を制限する。そして、ハーネスＨの収納や交換作業時におけるストッパー部材４の誤動作を防止して作業の効率化、及び作業性を向上するようになっている。
ストッパー部材４は、矢印Ａ方向に回動して開放部３を閉じる際に、第１のハーネス押さえとなるハーネス押さえ部４１によって収納部２に収納するハーネスＨを押さえながら開放部３からのはみ出しを確実に阻止する。そして、係止部４０をストッパー固定部６で受けられて固定されるようになっている。
更に、ストッパー部材４の係止部４０をストッパー固定部６で受けて固定する際にも、第２のハーネス押さえとなる補助ガイド部８によって開放部３から収納部２に収納するハーネスＨのはみ出しを阻止するようにもなっている。
【００１６】
ハーネス用クランプユニット１０は、少なくとも収納枠本体１とストッパー部材４は、合成樹脂材で形成されている。そして、合成樹脂材で形成した後に収納枠本体１側のストッパー回動支柱部５にストッパー部材４の丸穴部４４を嵌合して組み立てるだけの簡単で耐久性にも優れる構成になっているから低コストである。
ハーネス用クランプユニット１０によって、複数本のハーネスＨを束ねて収納する場合には、ストッパー部材４を矢印Ｂ方向に回動して開放部３を開放する。次いで、複数本のハーネスＨを開放部３から収納部２に入れて置く。そして、ストッパー部材４は開放部３を閉じるために矢印Ａ方向に回動して、係止部４０をストッパー固定部６で受けて固定することでハーネスＨを正常に収納してクランプされる。この場合に、ストッパー部材４が、上方から下方に回動するスペースが不必要となり、ハーネス用クランプユニット１０を取り付ける電子機器１００の装置が上下方向に嵩張り大型になると言う不具合も発生しない。
更に、ストッパー部材４が矢印Ａ方向（収納部２に収納するハーネスＨの上面を横断する空間方向）で開放部３を閉じるため、回動する際、ハーネスＨを挟み込んで係止部４０をストッパー固定部６で受けて固定されることは発生しない。ハーネス用クランプユニット１０では、このようにハーネスＨの挟み込みの発生を防止して、ハーネスＨの損傷または切断されて、接続される各ユニットの処理品質を低下させることなく、形成する画像品質も低下することもない。
【００１７】
図７は、本発明の実施の形態例にかかるハーネス用クランプユニット１０のストッパー部材４が回動する構造の拡大展開斜視図である。
図８は、本発明の実施の形態例にかかるハーネス用クランプユニット１０のストッパー脱落防止部５０の基本構成拡大図である。
図７と図８において、ハーネス用クランプユニット１０において、ストッパー部材４が開放部３を横断して閉じるために矢印Ａ方向のハーネスＨ横断方向に回動する構造を説明する。
図７に図示するように、収納枠本体１にストッパー回動支柱部５が設けられている。そして、ストッパー回動支柱部５がストッパー部材４の丸穴部４４に矢印Ｃ方向で差し込まれて、ストッパー部材４が開放部３を閉じるために矢印Ａ方向に回動可能に保持される。
そして、図８に図示するように、ストッパー回動支柱部５は、丸穴部４４に差し込んだ後に、合成樹脂材である図示する上部の先端部を加熱処理等でストッパー部材４の脱落を防止するストッパー脱落防止部５０が形成されている。
従って、ストッパー部材４が開放部３を閉じるために矢印Ａ方向に回動して図示しない係止部４０をストッパー固定部６で受けて固定する際に、スムースに固定することができる。そして、係止部４０とストッパー固定部６の固定のやり直しや未固定の発生を防止することもできる。
【００１８】
図９は、本発明の実施の形態例にかかるハーネス用クランプユニット１０のストッパー回動制限部７の基本構成拡大図である。
図９において、ストッパー回動制限部７は、開放部３の一方の端部側の収納枠本体１の外側に突出してストッパー部材４の側面４５に当接する当接面７０が形成されている。そして、ストッパー回動制限部７は、ストッパー回動支柱部５を回動軸とするストッパー部材４の矢印Ａ方向と逆方向（Ｂ方向）の略９０度以上の回動を制限する。そして、ハーネスＨの収納や交換作業時におけるストッパー部材４の逆回動等の誤動作を防止して作業の効率化、及び作業性を向上するようになっている。
【００１９】
図１０は、本発明の実施の形態例にかかるハーネス用クランプユニット１０のハーネス押さえ部４１の基本構成斜視図である。
図１１は、本発明の実施の形態例にかかるハーネス用クランプユニット１０のハーネス押さえ部４１における平面４２の拡大斜視図である。
図１２は、本発明の他の実施の形態例にかかるハーネス用クランプユニット１０のハーネス押さえ部４１における曲面４３の拡大斜視図である。
図１０乃至図１２において、第１のハーネス押さえであるハーネス押さえ部４１は、ストッパー部材４の回動方向側（矢印Ａ方向）にある先端側の肉厚が前記ストッパー部材の非回動方向側に比較して薄い形状、例えば先端側の肉厚が薄くなる楔形状に形成されている。そして、ストッパー部材４が矢印Ａ方向の横断方向に回動して開放部３を閉じる際に、ハーネス押さえ部４１によって収納部２に収納するハーネスＨを押さえながら開放部３からのはみ出しを確実に阻止する。
更に、図１１に図示するようにハーネス押さえ部４１は、楔形状の先端部に先鋭部をと取り除いた平面４２から成る。そして、ハーネス押さえ部４１は、ストッパー部材４が開放部３を横断して閉じるために矢印Ａ方向に回動してハーネスＨを押さえる際に、ハーネスＨには損傷を与えないようになっている。
【００２０】
他の実施の形態例として、図１２に図示するようにハーネス押さえ部４１は、楔形状の先端部から先鋭部を取り除いた曲面４３から成る。そして、ハーネス押さえ部４１は、ストッパー部材４が開放部３を横断して閉じるために矢印Ａ方向に回動してハーネスＨを押さえる際に、更に確実にハーネスＨに損傷を与えないようになっている。
図１３は、本発明の実施の形態例にかかるハーネス用クランプユニット１０の補助ガイド部８の拡大斜視図である。
図１３において、補助ガイド部８は、開放部３の他方の端部側の収納枠本体１から延出して収納部２の内側方向に傾けて設置されている。そして、ストッパー部材４の係止部４０をストッパー固定部６で受けて固定する際にも、補助ガイド部８によって、ストッパー部材４を固定するまでの開放部３から収納部２に収納するハーネスＨのはみ出しを阻止するようにもなっている。
従って、ハーネスＨの収納や交換作業の効率化、及び作業性を向上しても必要な作業スペースが狭くなる。そして、ハーネスＨの挟み込による損傷または切断を防止してハーネスＨを確実に収納してクランプする。更に、ハーネスＨに接続される各ユニットの処理品質も低下することなく、小型で高品質の画像形成を行うことができる低コストのハーネス用クランプユニット１０を提供することができる。
【００２１】
図１４は、本発明の実施の形態例にかかるハーネス用クランプユニット１０を備える電子機器１００の基本構成図である。
図１４において、ユニットを前記ハーネスＨで接続する電子機器１００は、電力または電子情報を使用する処理ユニット１０１と、処理ユニット１０１の各ユニットに接続するハーネスＨをクランプする上記いずれかの実施形態にかかるハーネス用クランプユニット１０を備えている。
電子機器１００である画像形成装置２００は、処理ユニット１０１である画像形成ユニット２０１の上部に原稿画像読み取りユニット２０２が載置されている。そして、画像形成ユニット２０１は、被記録媒体Ｐを給送する被記録媒体給送ユニット２０３の上部に保持されている。
画像形成ユニット２０１は、電子写真方式の作像プロセスで利便性や汎用性に優れ高速で高品質のトナーの記録画像を被記録媒体Ｐの記録用紙等に転写して形成するようになっている。
【００２２】
原稿画像読み取りユニット２０２において、原稿台２２０に載置される原稿Ｏの原稿画像は、原稿読取部２２１によって光学的に読み取られて原稿画像情報として画像処理部２０４で画像処理される。
そして、画像処理部２０４で画像処理された原稿画像情報に基づくレーザ光の露光光が、画像形成ユニット２０１の書き込み装置２１２によって像担持体２１０のドラム形状の感光体ドラム上に書き込まれる。画像処理部２０４と原稿読取部２２１、書き込み装置２１２、図示しない制御部等は複数本のハーネスＨで接続されてそれぞれの間に原稿画像情報や制御信号等が伝達されている。そして、複数本のハーネスＨは、上記いずれかの実施形態にかかるハーネス用クランプユニット１０によってクランプされている。
像担持体２１０の感光体ドラムは、矢印Ｄ方向の時計方向に回転し、この時、帯電装置２１１によって表面を一様に帯電され、その帯電面に書き込み装置２１２により原稿画像が書き込まれる。これによって、像担持体２１０上に静電潜像が形成される。この潜像は、現像装置２１３によってトナー画像として可視像化される。
【００２３】
一方、被記録媒体給送ユニット２０３から被記録媒体Ｐが像担持体２１０に向けて搬送され、転写装置２１４によって像担持体２１０上のトナーの記録画像が被記録媒体Ｐに転写される。
転写装置２１４における転写工程後の被記録媒体Ｐは、転写装置２１４の位置を通過した後に、搬送経路を経て定着装置２１５に達する。
定着装置２１５に達した被記録媒体Ｐは、定着ローラと加圧ローラとのニップ部に進入して、定着ローラから受ける熱と加圧ローラから受ける圧力とによってトナーの記録画像が定着される。トナーの記録画像が定着された被記録媒体Ｐは、定着ローラと加圧ローラとのニップ部から送り出された後に、排紙トレイ２１６に排出されて収納される。
【００２４】
他方、転写装置２１４における転写工程後の像担持体２１０上に残留するトナーは、クリーニング装置２１７によって除去されて次工程に備えられる。
電源ユニット２０５から像担持体駆動モータ２１８、スキャナー駆動モータ２２２、被記録媒体給送駆動モータ２３０、定着装置２１５等に複数本のハーネスＨで接続されて駆動または加熱電力が供給されている。そして、これら複数本のハーネスＨは、上記いずれかの実施形態にかかるハーネス用クランプユニット１０によってクランプされている。
従って、ハーネスＨの収納や交換作業の効率化、及び作業性を向上しても必要な作業スペースが狭くなる。そして、ハーネスＨの挟み込による損傷または切断を防止してハーネスＨを確実に収納してクランプする。更に、ハーネスＨに接続される各ユニットの処理品質も低下することなく、小型で高品質の画像形成を行うことができる低コストのハーネス用クランプユニット１０を備える電子機器１００を提供することができる。
【図面の簡単な説明】
【００２５】
【図１】本発明の実施の形態例にかかるハーネス用クランプユニットの正面図である。
【図２】本発明の実施の形態例にかかるハーネス用クランプユニットの上面図である。
【図３】本発明の実施の形態例にかかるハーネス用クランプユニットが複数本のハーネスをクランプする正面図である。
【図４】本発明の実施の形態例にかかるハーネス用クランプユニットが複数本のハーネスをクランプする上面図である。
【図５】本発明の実施の形態例にかかるハーネス用クランプユニットのストッパー部材が開放部を横断方向に回動して閉じる前の斜視図である。
【図６】本発明の実施の形態例にかかるハーネス用クランプユニットのストッパー部材が開放部を横断方向に回動して閉じて固定される前の斜視図である。
【図７】本発明の実施の形態例にかかるハーネス用クランプユニットのストッパー部材の回動する構造の拡大展開斜視図である。
【図８】本発明の実施の形態例にかかるハーネス用クランプユニットのストッパー脱落防止部の基本構成拡大図である。
【図９】本発明の実施の形態例にかかるハーネス用クランプユニットのストッパー回動制限部の基本構成拡大図である。
【図１０】本発明の実施の形態例にかかるハーネス用クランプユニットのハーネス押さえ部の基本構成の斜視図である。
【図１１】本発明の実施の形態例にかかるハーネス用クランプユニットのハーネス押さえ部における平面の拡大斜視図である。
【図１２】本発明の他の実施の形態例にかかるハーネス用クランプユニットのハーネス押さえ部における曲面の拡大斜視図である
【図１３】本発明の実施の形態例にかかるハーネス用クランプユニットの補助ガイド部の拡大斜視図である。
【図１４】本発明の実施の形態例にかかるハーネス用クランプユニットを備える電子機器の基本構成図である。
【図１５】従来のハーネス用クランプユニットのストッパー部材が回動して複数本のハーネス正常に収納する正面図である。
【図１６】従来のハーネス用クランプユニットのストッパー部材が回動して複数本のハーネスの内の１本のハーネスを挟み込んで収納する正面図である。
【符号の説明】
【００２６】
１  収納枠本体、２  収納部、３  開放部、４  ストッパー部材、５  ストッパー回動支柱部、６  ストッパー固定部、７  ストッパー回動制限部、８  補助ガイド部、９  取り付け部、１０  ハーネス用クランプユニット、１１  ストッパー爪受け部、４０  係止部、４１  ハーネス押さえ部、４２  平面、４３  曲面、４４  丸穴部、４５  側面、５０  ストッパー脱落防止部、７０  当接面、１００  電子機器、１０１  処理ユニット、１０２  被取り付け体、１０３  取り付け孔、２００  画像形成装置、２０１  画像形成ユニット、２０２  原稿画像読み取りユニット、２０３  被記録媒体給送ユニット、２０４  画像処理部、２０５  電源ユニット、２１０  像担持体、２１１  帯電装置、２１２  書き込み装置、２１３  現像装置、２１４  転写装置、２１５  定着装置、２１６  排紙トレイ、２１７  クリーニング装置、２１８  像担持体駆動モータ、２２０  原稿台、２２１  原稿読取部、２２２  スキャナー駆動モータ、２３０  被記録媒体給送駆動モータ、３００  ハーネス用クランプユニット、３０１  収納枠本体、３０２  収納部、３０３  開放部、３０４  ストッパー部材、３０５  ヒンジ、３０６  ストッパー爪受け部、３４０  ストッパー爪部
【図１】
2009168049.tif 000003
【図２】
2009168049.tif 000004
【図３】
2009168049.tif 000005
【図４】
2009168049.tif 000006
【図５】
2009168049.tif 000007
【図６】
2009168049.tif 000008
【図７】
2009168049.tif 000009
【図８】
2009168049.tif 000010
【図９】
2009168049.tif 000011
【図１０】
2009168049.tif 000012
【図１１】
2009168049.tif 000013
【図１２】
2009168049.tif 000014
【図１３】
2009168049.tif 000015
【図１４】
2009168049.tif 000016
【図１５】
2009168049.tif 000017
【図１６】
2009168049.tif 000018